(57)【要約】  フェンス用の関節型ブラケットを提供することを目的とする。柱材と前記柱材の間に掛け渡された横架材とを接合する関節型ブラケットであって、前記柱材に取り付けられ、且つ外部と連通される内部空間を有する第１の関節１０、２０と、前記第１の関節の内部空間に載置される中心部３０と、前記横架材に締め付けられる繋ぎ部４０と、を有する第２の関節と、を備え、前記繋ぎ部４０は、前記中心部３０を中心としてピボット運動することを特徴とするフェンス用の関節型ブラケット。
2013531156.tif 000002
【特許請求の範囲】
【請求項１】
柱材と、前記柱材の間に掛け渡された横架材と、を接合する関節型ブラケットであって、
前記柱材に取り付けられ、且つ外部と連通される内部空間を有する第１の関節（１０、２０）と、
前記第１の関節の内部空間に載置される中心部（３０）と、前記横架材に締め付けられる繋ぎ部（４０）と、を有する第２の関節と、
を備え、
前記繋ぎ部（４０）は、前記中心部（３０）を中心としてピボット運動することを特徴とするフェンス用の関節型ブラケット。
【請求項２】
前記第１の関節における前記内部空間を外部と連通させる貫通部は、十字（＋）状であることを特徴とする請求項１に記載のフェンス用の関節型ブラケット。
【請求項３】
前記繋ぎ部にはスロットが形成されており、前記横架材は、前記スロット及び横架材を貫通する締付部材によって前記繋ぎ部に締め付けられることを特徴とする請求項１に記載のフェンス用の関節型ブラケット。
【請求項４】
前記締付部材はボルトおよびナットであり、ボルトが前記スロット及び横架材を通過してナットと螺合することにより、前記横架材が繋ぎ部に締め付けられることを特徴とする請求項３に記載のフェンス用の関節型ブラケット。
【請求項５】
前記第１の関節は、柱材に締め付けられる胴体部（１０）と、前記胴体部の一方の側に前記胴体部と一体に形成される突起部（２０）と、を備えることを特徴とする請求項１に記載のフェンス用の関節型ブラケット。
【請求項６】
前記第２の関節の中心部は、球状であることを特徴とする請求項１に記載のフェンス用の関節型ブラケット。
【発明の詳細な説明】
【技術分野】
【０００１】
本発明はフェンスの横架材と柱材を接合するためのブラケットに係り、さらに詳しくは、フェンスの横架材が柱材と接合されて上下左右に移動自在の関節部を備えたフェンス用の関節型ブラケットに関する。
【背景技術】
【０００２】
フェンスは境界をつくるために立てられる構造物であり、普通、橋の手すりまたは登山道などに安全のために立てられるか、あるいは、保護されるべき地域に対する外部人の出入りを統制するために設けられる。また、アパート、ビルなどの階段にユーザーの墜落を防ぐために設けられることもあれば、装飾のためにテラスなどの建築物に用いられることもある。かようなフェンスは、地面に立てられる複数の柱材と、前記柱材に横方向に掛け渡される横架材と、を備える。このとき、前記柱材及び横架材の間にはブラケット及びヒンジが介装され、ヒンジ軸に応じて横架材の角度が変更されるようになっている。
【０００３】
従来、単一方向に回転可能なヒンジが設けられたフェンスが提案されている（例えば、下記の特許文献１参照）。同公報によれば、地面に立てられる柱材には一対の据置き板が立設され、各据置き板には貫通孔が相対向するように穿設される第１のブラケットが設けられ、前記貫通孔にはヒンジピンが嵌合される。前記ヒンジピンの外周面には嵌合管体が設けられるが、両端部が各据置き板の相対向する内側面に接する弾性材質の筒状の嵌合管体が、前記ヒンジピンの外周面を取り囲むように設けられる。柱材が取り付けられる第２のブラケットには、その下部にヒンジ孔が穿設されており、ヒンジ孔が前記嵌合管体に先接触して回転自在に設けられる。前記第２のブラケットには横架材が取り付けられることにより、前記フェンスが得られる。
【０００４】
上記の従来の技術によれば、第１のブラケット及び第２のブラケットによって柱材と横架材との繋ぎ部が外部に大きく露出されるため見栄えが悪く、ヒンジによる回転が単一方向にしか行われないためフェンスが施工し難い他、設置場所が制約されてしまう。
【先行技術文献】
【特許文献】
【０００５】
【特許文献１】大韓民国登録特許第９４１６９８号公報
【発明の概要】
【発明が解決しようとする課題】
【０００６】
本発明は上述した問題点を解消するためになされたものであり、柱材と横架材との繋ぎ部の外部への露出部分を減らし、横架材が上下左右に移動自在とされたフェンスの設置に際しての関節部付きブラケットを提供することを目的としている。
【課題を解決するための手段】
【０００７】
本発明は、柱材と前記柱材の間に掛け渡された横架材とを接合する関節型ブラケットであって、前記柱材に取り付けられ、且つ外部と連通される内部空間を有する第１の関節１０、２０と、前記第１の関節の内部空間に載置される中心部３０と、前記横架材に締め付けられる繋ぎ部４０と、を有する第２の関節と、を備え、前記繋ぎ部４０は、前記中心部３０を中心としてピボット運動することを特徴とするフェンス用の関節型ブラケットを提供する。
【０００８】
前記第１の関節における前記内部空間を外部と連通させる貫通部は、十字（＋）状であり、前記繋ぎ部にはスロットが形成されており、前記横架材は、前記スロット及び横架材を貫通する締付部材によって前記繋ぎ部に締め付けられる。
【０００９】
前記第１の関節は、柱材に締め付けられる胴体部１０と、前記胴体部の一方の側に前記胴体部と一体に形成される突起部２０と、を備え、前記第２の関節の中心部は、球状であってもよい。
【発明の効果】
【００１０】
本発明によれば、柱材と接合された横架材が上下左右に移動自在になり、且つ、繋ぎ部の外部への露出部位が少ないフェンスが得られる。
【００１１】
また、本発明によれば、第１の関節の上に前記第２の関節の中心部よりも小さな貫通口が形成されて、前記第２の関節の動きにより前記繋ぎ部及びそこに取り付けられた横架材が上下左右に移動自在になる。
【００１２】
さらに、本発明によれば、ブラケット及び第１の節部は一体成形されてフェンスの施工効率性を高め、ブラケットと第１の関節との係合に必要な資材の生産コストを節減することができ、ブラケットと第１の関節との係合を一層強固にできる。
【図面の簡単な説明】
【００１３】
【図１】従来のブラケットを示す斜視図である。
【図２】本発明に係る第１の関節を示す斜視図である。
【図３】本発明に係る第２の関節を示す斜視図である。
【図４】前記第１の関節と第２の関節とが係合されたことを示す斜視図である。
【図５】図４の一部の構成が破断された状態を示す斜視図である。
【図６】図３に示す繋ぎ部にボルト及びナットを用いて横架材を締め付けることを示す斜視図である。
【図７】本発明に係るブラケットを用いて柱材と横架材が接合されていることを示す部分斜視図である。
【図８】本発明に係るフェンス用の関節型ブラケット付きフェンスを示す斜視図である。
【発明を実施するための形態】
【００１４】
以下、添付図面に基づき、本発明に係るフェンス用の関節型ブラケットの好適な実施形態について詳述する。以下で用いられた用語や単語は通常的または辞書的な意味に限定して解釈されてはならず、発明者はその自分の発明を最良の方法により説明するために用語の概念を適切に定義することができるという原則に即して本発明の技術的思想に合う意味及び概念として解釈されるべきである。
【００１５】
本発明に係るフェンス用の関節型ブラケットは、第１の関節と第２の関節とからなり、第１の関節は、胴体部１０と、突起部２０と、を備え、第２の関節は、中心部３０と、繋ぎ部４０と、を備える（図２及び図３参照）。
【００１６】
フェンスを作るためには、地面に立てられる複数の柱材２００の間に掛け渡された横架材１００と柱材２００とを接合する必要があるが（図８参照）、前記柱材２００と横架材１００とを接合するために、ブラケットが用いられる。前記柱材２００は、胴体部１０の一方の面と結合され、前記柱材２００と胴体部１０との結合面の反対面である前記胴体部１０の上面には突起部２０が設けられる。前記胴体部１０と突起部２０との結合は溶接によって行われてもよく、螺合またはリベット結合されてもよい。あるいは、胴体部１０と突起部２０とが一体成形されてもよい。図２及び図４に示すように、前記突起部２０にはその内側に内部空間２２が設けられており、中心部３０が前記内部空間２２に載置される。前記中心部３０は、内部空間２２内において可動であり、そのためには、前記内部空間２２の内周面と前記中心部３０の外周面とは互いに対応する形状を有することが好ましく、上下左右に回転自在になるためには、前記中心部３０が球状を呈することがさらに好ましい。前記中心部３０は繋ぎ部４０の一方の端部に連結されるが、図３に示すように、中心部３０と繋ぎ部４０とは延長部３２によって連結されてもよい。前記中心部３０、延長部３２及び繋ぎ部４０は溶接によって結合されてもよく、螺合またはリベット結合されてもよく、一体成形されてもよい。前記繋ぎ部４０は、所定の締付方式により横架材１００と結合される。これにより、前記柱材２００と横架材１００とが接合されたフェンスを得ることができ、前記繋ぎ部４０は回転自在中心部３０に連結されているため、結果的に繋ぎ部４０が中心部を中心として自由にピボット運動することができ、そこに取り付けられる横架材の配置が自由になる。すなわち、横架材は水平に柱材に連結されてもよいが、図８に示すように、傾いた状態で（柱材と横架材とが所定の角度だけ傾いた状態で）締め付けられてもよい。なお、横架材と柱材を接合するためのブラケットの外部への露出を極力抑えて見栄えのよいフェンスを得ることができる。
【００１７】
前記突起部２０には、内部空間２２を外部と連通させる貫通口が形成される。前記突起部２０の内部空間２２に載置される中心部３０は繋ぎ部４０と延長部３２とを介して連結され、前記貫通口はいかなる形状であっても構わない。前記中心部３０に連結された延長部３２が前記貫通口を通過して外部に露出され、前記延長部３２の露出された一方の端面に前記繋ぎ部４０が結合される。前記中心部３０がピボット運動することにつれて前記延長部３２も動くため、その回転範囲以上のサイズを有する貫通口が形成される必要がある。すなわち、前記貫通口は、延長部３２の端面よりも広く形成されて、前記中心部３０が回転するにつれて、前記延長部３２の回転に必要な半径を確保する。
【００１８】
前記貫通口は十字状を呈してもよい。前記貫通口はいなかる形状であっても構わないが、十字状を有する場合には、中心部３０が上下左右に移動するにつれて、そこに連結された繋ぎ部４０もピボット運動自在になるだけではなく、施工に際して前記延長部３２及び繋ぎ部４０が所望の方向にしか動かないようにガイドする役割を果たす。
【００１９】
繋ぎ部４０にはスロット４２が形成されており、図６に示すように、前記スロット４２の上に横架材１００が置かれ、前記スロット４２及び横架材１００を貫通するボルトまたはリベットなどの締付部材によって横架材が前記繋ぎ部４０に締め付けられる。前記ボルトまたはリベットなどの締付部材の断面は、前記スロット４２よりも小さいかそれと同じであれば構わないが、前記締付部材の断面を前記スロット４２のサイズと同一にして前記締付部材がスロット４２を貫通して横架材を強固に締め付けるようにすればよい。
【００２０】
このとき、前記締付部材がボルト及びナットである場合に、前記ボルト５０がスロット４２及び横架材１００を通過した後、ボルトヘッドの反対側からボルト５０及びナット５２を結合して横架材１００を繋ぎ部４０に強固に締め付ける。また、締付部材がリベットである場合には、リベットがスロット４２及び横架材１００を通過した後、前記リベットがスロット４２及び横架材１００から外れないようにハンマーなどによりリベットヘッドを叩いて固定する。スロット４２を貫通して横架材を固定する締付部材は、必ずしてもボルトやリベットではなくても構わない。
【００２１】
前記胴体部１０及び突起部２０は、一体に射出成形されてもよい。これにより、胴体部１０と突起部２０とを別途に結合する工程が不要になって作業効率が上がり、結合部材の生産にかかるコストを節減することができる。
【００２２】
前記中心部３０及び繋ぎ部４０は、一体に射出成形されてもよい。これにより、中心部３０と繋ぎ部４０とを別途に結合する工程が不要になって作業効率が上がり、結合部材の生産にかかるコストを節減することができる。
【００２３】
以上、本発明はたとえ限定された実施形態及び図面によって説明されたが、本発明はこれに何ら限定されるものではなく、本発明が属する技術分野において通常の知識を有する者によって本発明の技術思想と後述する特許請求の範囲の均等範囲内において種々に修正及び変形可能であるということはいうまでもない。
【図１】
2013531156.tif 000003
【図２】
2013531156.tif 000004
【図３】
2013531156.tif 000005
【図４】
2013531156.tif 000006
【図５】
2013531156.tif 000007
【図６】
2013531156.tif 000008
【図７】
2013531156.tif 000009
【図８】
2013531156.tif 000010
【国際調査報告】
2013531156.tif 000011
2013531156.tif 000012